(57)【特許請求の範囲】
【請求項１】
無線ネットワークコントローラの間の通信制御の方法であって、
ドリフト無線ネットワークコントローラに属し、サービス無線ネットワークコントコーラに属しないサービスノードBが端末を制御してエンハンスメント型専用チャンネル無線リンク活性化を行なった後、前記端末の無線リンク活性化情報をドリフト無線ネットワークコントローラに告知すること、
前記ドリフト無線ネットワークコントローラが前記無線リンク活性化情報に従って無線リンク活性化指示をサービス無線ネットワークコントローラに発信すること、及び、
ドリフト無線ネットワークコントローラに属し、サービス無線ネットワークコントコーラに属しないサービスノードBが端末を制御してエンハンスメント型専用チャンネル無線リンク脱活性化を行なった後、前記端末の無線リンク脱活性化情報をドリフト無線ネットワークコントローラに告知すること、
前記ドリフト無線ネットワークコントローラは前記無線リンク脱活性化情報に従って無線リンク脱活性化指示をサービス無線ネットワークコントローラに発信することを含む無線ネットワークコントローラの間の通信制御の方法。
【請求項２】
前記サービス無線ネットワークコントローラは受信した前記無線リンク活性化指示によってドリフト無線ネットワークコントローラに属する非サービスノードBを制御して前記端末に対して非サービスエンハンスメント型専用チャンネル無線リンク活性化を行なうこと、及び
前記サービス無線ネットワークコントローラは受信した前記無線リンク脱活性化指示によってドリフト無線ネットワークコントローラに属する非サービスノードBを制御して前記端末に対して非サービスエンハンスメント型専用チャンネル無線リンク脱活性化を行なうことをさらに含む請求項1に記載の方法。
【請求項３】
前記サービスノードBが端末を制御してエンハンスメント型専用チャンネル無線リンク活性化を行なうステップは、前記サービスノードBが端末を制御して補助キャリアのエンハンスメント型専用チャンネル無線リンク活性化を行なうことを含み、
前記サービスノードBが端末を制御してエンハンスメント型専用チャンネル無線リンク脱活性化を行なうステップは、前記サービスノードBが端末を制御して補助キャリアのエンハンスメント型専用チャンネル無線リンク脱活性化を行うことを含む請求項1又は2に記載の方法。
【請求項４】
ドリフト無線ネットワークコントローラは無線リンク活性化指示或は無線リンク脱活性化指示をサービス無線ネットワークコントローラに発信するステップにおいて、
前記ドリフト無線ネットワークコントローラは無線ネットワークコントローラの間の相互接続インターフェースIUR無線ネットワークサブシステムアプリケーション部分RNSAP層によって前記無線リンク活性化指示或は無線リンク脱活性化指示を前記サービス無線ネットワークコントローラに発信する請求項1又は2に記載の方法。
【請求項５】
前記無線リンク活性化指示は無線リンク集合標識及び／又は無線リンク標識を携帯し、これによって前記端末の相応する無線リンク集合及び／又は無線リンクが既に活性化されたことを指示し、
前記無線リンク脱活性化指示は無線リンク集合標識及び／又は無線リンク標識を携帯し、これによって前記端末の相応する無線リンク集合及び／又は無線リンクが既に脱活性化されたことを指示する請求項1又は2に記載の方法。
【請求項６】
前記無線リンク活性化指示はさらに方向のマークを携帯し、これによって前記無線リンク集合及び／又は無線リンクが既に前記方向において活性化されたことを指示し、
前記方向のマークは、単一アップリンク方向或は単一ダウンリンク方向或は両方向である請求項5に記載の方法。
【請求項７】
前記無線リンク脱活性化指示はさらに方向のマークを携帯し、これによって前記無線リンク集合及び／又は無線リンクが既に前記方向において脱活性化されたことを指示し、
前記方向のマークは、単一アップリンク方向或は単一ダウンリンク方向或は両方向である請求項5に記載の方法。
【請求項８】
前記無線リンク活性化指示はさらに活性化の時間情報を携帯し、前記時間情報は接続フレーム番号で表し、前記時間情報は前記サービスノードBがエアインターフェースを介して前記端末へ無線リンク活性化命令を発信する時間点であり、或は前記端末が前記サービスノードBから発信する無線リンク活性化命令を受信したことを確認する時間点である請求項5に記載の方法。
【請求項９】
前記無線リンク脱活性化指示はさらに脱活性化の時間情報を携帯し、前記時間情報は接続フレーム番号で表し、前記時間情報は前記サービスノードBがエアインターフェースを介して前記端末へ無線リンク脱活性化命令を発信する時間点であり、或は前記端末が前記サービスノードBから発信する無線リンク脱活性化命令を受信したことを確認する時間点である請求項5に記載の方法。
【請求項１０】
ドリフト無線ネットワークコントローラに応用され、受信モジュールと発信モジュールを含む無線ネットワークコントローラの間の通信制御の装置であって、
前記受信モジュールは、前記ドリフト無線ネットワークコントローラに属し、サービス無線ネットワークコントコーラに属しないサービスノードBが発信する端末の無線リンク活性化情報を受信した後、発信モジュールに通知し、及び前記ドリフト無線ネットワークコントローラに属し、サービス無線ネットワークコントコーラに属しないサービスノードBが発信する端末の無線リンク脱活性化情報を受信した後、発信モジュールに告知するように設置され、
前記発信モジュールは、受信した無線リンク活性化情報に従って、無線リンク活性化指示をサービス無線ネットワークコントローラに発信し、及び受信した無線リンク脱活性化情報に従って、無線リンク脱活性化指示をサービス無線ネットワークコントローラに発信するように設置される無線ネットワークコントローラの間の通信制御の装置。
【発明の詳細な説明】
【技術分野】
【０００１】
本発明は無線通信分野に関し、特に無線ネットワークコントローラ間の通信制御の方法及び装置に関する。
【背景技術】
【０００２】
無線通信システムにおいて、無線リンクとは１つの端末と１つの無線アクセスシステムのアクセス・ポイントとの間の論理的連結を指し、物理実現上に、普通、1つ〜複数の無線ベアラ伝送からなる。端末と１つの無線アクセスシステムのアクセス・ポイント（普通はセルを指す）の間に多くても一本の無線リンクが存在する。無線リンク標識は無線リンクを識別するためのものであり、その端末に関連する無線リンクはいずれも唯一無二の無線リンク標識を有する。
【０００３】
IUB（Interconnection of type B、B類相互接続、以下IUBと略称する）インターフェースは無線ネットワークコントローラとノードBとの間の論理インターフェースである。IUBインターフェースのプロトコル枠組みは2つの機能層、無線ネットワーク層及び伝送ネットワーク層からなる。NBAP（Node B Application Part、ノードBアプリケーション部分、以下NBAPと略称する）は無線ネットワーク層における一部であり、正確で且つ完全にノードBの機能性行為を指定している。NBAPの基本的な過程は公衆過程と専用過程に分けられ、ぞれぞれ公衆リンクと専用リンクのシグナリング過程に対応する。公衆過程はノードBに既に存在している特定端末と無関係のシグナリング或は特定端末のコンテキスト初期化請求過程に適用し、端末の第一本目の無線リンクの確立、業務終了エンドポイントの選択を含む。専用過程は１つの特定の端末とコンテキスト関連する過程を指し、無線ネットワークコントローラが共通過程によって端末に１つの業務端末ノードを割当てた後、該端末に関連する各の後続シグナリングは該ノードの専用制御ポートによって専用過程で交互し、特定の端末のための無線リンクの増加、釈放及び再配置を含む。
【０００４】
IUR（Interconnection of RNC、無線ネットワークコントローラ間相互接続インターフェース、以下IURと略称する）インターフェースは無線ネットワークコントローラが他の無線ネットワークコントローラとシグナリングとデータ交互を行なうためのインターフェースであり、無線ネットワークサブシステムの間の相互接続のきずなである。IURインターフェースによって、異なる無線ネットワークサブシステムが互いに接続することができ、専用のプロトコール-RNSAP（Radio Network Subsystem Application Part、無線ネットワークサブシステムアプリケーション部分、以下RNSAPと略称する）によって、無線ネットワークコントローラと接続がある端末の、無線ネットワークサブシステムをまたがる移動性管理を完成し、無線ネットワークサブシステム間のハンドオフ、無線資源処理及び同期などの機能を含む。
【０００５】
１つの端末が無線アクセスネットワークへの接続を確立し且つIURインターフェースにソフトハンドオフを発生すると、１つ以上の無線ネットワークコントローラの資源を使用するようになり、異なる無線ネットワークコントローラはこの時異なる役割を果たしている。
【０００６】
サービス無線ネットワークコントローラ：該端末とコアネットワークとのインターフェース接続を保持する無線ネットワークコントローラはサービス無線ネットワークコントローラである。サービス無線ネットワークコントローラはコアネットワークと端末との間のデータ転送、コアネットワークとのインターフェースシグナリングの送信と受信を担当し、無線資源制御の実行を担当し、エアインターフェースのデータへの層2の処理の実行を担当し、且つ基本無線資源管理操作、例えばハンドオフの決定、アウターループ電力制御及び無線アクセスベアラのパラメータのエアインターフェース伝送チャンネルパラメータへの転化を実行する。
【０００７】
ドリフト無線ネットワークコントローラ：ドリフト無線ネットワークコントローラはサービス無線ネットワークコントローラ以外の他の無線ネットワークコントローラである。ドリフト無線ネットワークコントローラは該端末の使用するセルを制御し、必要であれば、ドリフト無線ネットワークコントローラはマクロダイバーシティ合成してもよい。該端末が共通伝送チャンネルしを使用しない限り、ドリフト無線ネットワークコントローラは端末面データの層2処理を行なわなく、ただエアインターフェースデータを透明的にIURインターフェースのルートを通ってサービス無線ネットワークコントローラに伝送する。１つの端末のドリフト無線ネットワークコントローラは１つ以上であってもよい。
【０００８】
IURインターフェースの主要の機能は、無線ネットワークコントローラ間の基本移動性の管理、公衆チャンネルの業務フローの支持、専用チャンネルの業務フローの支持の3種類である。これらの業務フローはIURインターフェースのもっとも基本的な機能で、異なるメーカーの無線ネットワークコントローラは必ずこれらの業務フローの互換性を完成しなければならなく、さもないとIURインターフェースの相互接続・交互にならない。
【０００９】
端末コンテキストはIURインターフェースの各主要機能にかかわる基本概念である。端末コンテキストはドリフト無線ネットワークコントローラ／ドリフトノードBとある特定端末との通信に必要な情報を含んでいる。端末コンテキストは、端末により行うドリフト無線ネットワークコントローラ／ドリフトノードBの制御するセル中の初始アクセスの時に発生する無線リンク確立過程或はアップリンクシグナリング転送過程によって作成される。端末コンテキストは、この端末にかかわる無線リンク削除過程或は公衆伝送チャンネル資源釈放過程或はダウンリンクシグナリング転送過程による、この端末に対しいかなる確立した無線リンクのない或はいかなる確立した共通伝送チャンネルのないことによって削除される。
【００１０】
接続フレーム番号（CFN、Connection Frame Number （counter）、接続フレーム番号）は汎用移動通信システム陸地無線アクセスネットワーク（ノードBと無線ネットワークコントローラを含む）と端末との間に層2に使用できる公衆のフレーム参考を提供する。本質上、接続フレーム番号はフレームのカウンターであり、汎用移動通信システム陸地無線アクセスネットワーク（ノードBと無線ネットワークコントローラを含む）と端末との間の層2伝送チャンネルの同期に用いられる。１つの伝送データに対して、エアインタフェースの受信と発信の両端に同じ接続フレーム番号を有する。接続フレーム番号はエアインターフェースにおいて伝送しない。各セルのシステムフレーム番号（SFN、System Frame Number （counter）、システムフレーム番号）はセルの放送チャンネルにおいて伝送し、エアインターフェースの両端に、接続フレーム番号とシステムフレーム番号のマッピング関係によって両端の接続フレーム番号の一致性を保持できる。接続フレーム番号の数値範囲は0フレーム〜255フレームの間であり、256フレームを1つの周期として繰り返して循環する。今の無線アクセス技術中に、1フレームの長さは10ミリ秒である。
【００１１】
従来のシステムにおいて、高速アップリンクパケットアクセス技術の目標はアップリンク方向に容量とデータスループットを改善し、専用チャンネルにおける遅滞を低下させることである。高速アップリンクパケットアクセス技術によって一本の新たの伝送チャンネル、即ちエンハンスメント型専用チャンネルを導入し、物理層と媒体アクセス制御層の実現に対して改良を行い、最大理論アップリンクデータレートが5.6Mbit/sであることに達することができる。高速アップリンクパケットアクセス技術はソフトハンドオフの特性を保留し、1つの端末に対して、エンハンスメント型専用チャンネルの活性化・セットが存在している。エンハンスメント型専用チャンネルの活性化・セットにおいて、端末がノードB（このノードBがサービス無線ネットワークコントローラに属する可能性があり、ドリフト無線ネットワークコントローラに属する可能性もある）から絶対授権スケジューリングを受信するセルはサービスエンハンスメント型専用チャンネルセルと称し、対応する無線リンク（即ち該セルにおける無線リンク）はサービスエンハンスメント型専用チャンネル無線リンクと称し、無線リンク標識で識別される。エンハンスメント型専用チャンネルの活性化・セットにおいて、少なくともサービスエンハンスメント型専用チャンネルセルを含む、端末が同じ相対授権を受け取ると合併することができるセル集合はサービスエンハンスメント型専用チャンネルセル集合と称し、対応の無線リンク集合（即ちこの各セルにおける各無線リンクの集合である）はサービスエンハンスメント型専用チャンネル無線リンク集合と称し、無線リンク集合標識で識別される。エンハンスメント型専用チャンネルの活性化・セットにおいて、サービスエンハンスメント型専用チャンネルセル集合に属しないセルは非サービスエンハンスメント型専用チャンネルセルと称し、対応する無線リンク（即ち該セルにおける無線リンクである）は非サービスエンハンスメント型専用チャンネル無線リンクと称し、無線リンク標識で識別される。
【００１２】
技術の発展に従って、デュアル・キャリア高速アップリンクパケットアクセス技術（この技術は端末に2つのキャリアにおいて高速アップリンクパケットアクセス技術でデータを発信させ、従ってアップリンクリンクデータレートを倍増させるようにする）は従来システムに導入されることが望ましい。且つ、デュアル・キャリア高速アップリンクパケットアクセス技術の使用と従来のデュアル・キャリア高速ダウンリンクパケットアクセス技術とが結合使用してともにデュアル・キャリア技術と称する。デュアル・キャリア技術予期の応用場面は、アップリンク単一キャリア高速アップリンクパケットアクセス技術、ダウンリンク単一キャリア高速ダウンリンクパケットアクセス技術；アップリンク単一キャリア高速アップリンクパケットアクセス技術、ダウンリンクデュアル・キャリア高速ダウンリンクパケットアクセス技術；アップリンクデュアル・キャリア高速アップリンクパケットアクセス技術、ダウンリンクデュアル・キャリア高速ダウンリンクパケットアクセス技術である。デュアル・キャリア技術において、高速専用物理制御チャンネルを含むキャリアは主キャリアと称し、デュアル・キャリアにおいて残るもう1つのキャリアは補助キャリアと称する。1つの端末に対して、デュアル・キャリアにおける各層キャリアはいずれも自分の独立なエンハンスメント型専用チャンネル活性化・セットを有する。補助キャリアのこの層の周波数に、補助キャリアのエンハンスメント型専用チャンネルの活性化・セットにおいて、補助キャリアのサービスエンハンスメント型専用チャンネル無線リンクが属するノードBはサービスノードBと称し、他のノードBは非サービスノードBと称する。その中、このサービスノードBはサービス無線ネットワークコントローラに属する可能性があり、ドリフト無線ネットワークコントローラに属する可能性もある。
【００１３】
サービスノードBは端末のエンハンスメント型専用チャンネル無線リンクの活性化及び脱活性化（ここのエンハンスメント型専用チャンネル無線リンクは該サービスノードBが管轄するサービスエンハンスメント型専用チャンネル無線リンクであってもよく，非サービスエンハンスメント型専用チャンネル無線リンクであってもよい）を制御し、サービス無線ネットワークコントローラは非サービスノードBの該端末に対する非サービスエンハンスメント型専用チャンネル無線リンクの活性化及び脱活性化の協調を担当する。この制御過程は図1に示すように、サービスノードBがサービス無線ネットワークコントローラに属し、非サービスノードBがドリフト無線ネットワークコントローラに属する場合、各制御ステップは以下のように説明する。
【００１４】
A:サービスノードBはエアインターフェースを介して端末を制御してエンハンスメント型専用チャンネル無線リンクの活性化或は脱活性化を行い、及び端末がサービスノードBの無線リンクの活性化或は脱活性化の命令の受信を確認する。端末は無線リンクの活性化或は脱活性化命令を実行する。
【００１５】
B：サービスノードBはIUBインターフェースを介してこの端末の無線リンク活性化或は脱活性化情報をサービス無線ネットワークコントローラに告知する。
【００１６】
C：サービス無線ネットワークコントローラは非サービスノードBの該端末に対する非サービスエンハンスメント型専用チャンネル無線リンクの活性化及び脱活性化の協調を担当する。サービス無線ネットワークコントローラはIURインターフェースを介して非サービスノードBが属するドリフト無線ネットワークコントローラに制御命令を発信し、非サービス無線リンクに活性化或は脱活性化を命令する。
【００１７】
D:ドリフト無線ネットワークコントローラは配下の非サービスノードBに通知して該端末の非サービスエンハンスメント型専用チャンネル無線リンク活性化或は脱活性化命令の処理を行なわせる。
【００１８】
ただし、従来の技術は、サービスノードBがサービス無線ネットワークコントローラに属しなくてドリフト無線ネットワークコントローラに属する場合の制御過程を見落としている。図2に示すように、サービスノードBがドリフト無線ネットワークコントローラに属し、制御過程の各ステップは以下のように説明する。
【００１９】
AA:サービスノードBはエアインターフェースを介して端末を制御してエンハンスメント型専用チャンネル無線リンクの活性化或は脱活性化を行い、及び端末がサービスノードBの無線リンク活性化或は脱活性化の命令の受信を確認する。端末は無線リンク活性化或は脱活性化命令を実行する。
【００２０】
BB:サービスノードBはIUBインターフェースを介してこの端末の無線リンク活性化或は脱活性化情報をドリフト無線ネットワークコントローラに告知する。
【発明の概要】
【発明が解決しようとする課題】
【００２１】
ルートがないため、サービスノードBが直接にサービス無線ネットワークコントローラに報告できなく、ただIUBインターフェースを介してドリフト無線ネットワークコントローラに報告でき、前記ステップBBに記載のようになる。しかし、サービス無線ネットワークコントローラは、前記端末が既にエンハンスメント型専用チャンネル無線リンクの活性化或は脱活性化を行なったことを知ることができなくて、非サービスノードBの該端末に対する非サービスエンハンスメント型専用チャンネル無線リンク活性化及び脱活性化を協調できなくなってしまう。
【００２２】
従って、サービスノードBがサービス無線ネットワークコントローラに属しなくてドリフト無線ネットワークコントローラに属する場面、端末の非サービスノードBでの非サービスエンハンスメント型専用チャンネル無線リンクが活性化或は脱活性化を行なうことができなくてデュアル・キャリア技術がこの場面で使用できなくなってしまう。
【課題を解決するための手段】
【００２３】
本発明は無線ネットワークコントローラ間の通信制御の方法及び装置を提供し、サービスノードBがサービス無線ネットワークコントローラに属しなくドリフト無線ネットワークコントローラに属する場面で、端末の非サービスノードBでの非サービスエンハンスメント型専用チャンネル無線リンクが活性化或は脱活性化を行なうことができない問題を解決する。
【００２４】
前記技術課題を解決するために、本発明は無線ネットワークコントローラ間の通信制御の方法を提供し、
無線ネットワークコントローラの間の通信制御の方法であって、
ドリフト無線ネットワークコントローラに属するサービスノードBが端末を制御してエンハンスメント型専用チャンネル無線リンク活性化を行なった後、前記端末の無線リンク活性化情報をドリフト無線ネットワークコントローラに告知すること、
前記ドリフト無線ネットワークコントローラが前記無線リンク活性化情報に従って無線リンク活性化指示をサービス無線ネットワークコントローラに発信すること、及び、
ドリフト無線ネットワークコントローラに属するサービスノードBが端末を制御してエンハンスメント型専用チャンネル無線リンク脱活性化を行なった後、前記端末の無線リンク脱活性化情報をドリフト無線ネットワークコントローラに告知すること、
前記ドリフト無線ネットワークコントローラは前記無線リンク脱活性化情報に従って無線リンク脱活性化指示をサービス無線ネットワークコントローラに発信することを含む。
【００２５】
上記方法は、
前記サービス無線ネットワークコントローラは受信した前記無線リンク活性化指示によって非サービスノードBを制御して前記端末に対して非サービスエンハンスメント型専用チャンネル無線リンク活性化を行なうこと、及び
前記サービス無線ネットワークコントローラは受信した前記無線リンク脱活性化指示によって非サービスノードBを制御して前記端末に対して非サービスエンハンスメント型専用チャンネル無線リンク脱活性化を行なうことをさらに含んでもよい。
【００２６】
上記方法は以下の特徴をあってもよい。
サービスノードBが端末を制御してエンハンスメント型専用チャンネル無線リンク活性化を行なうステップは、前記サービスノードBが端末を制御して補助キャリアのエンハンスメント型専用チャンネル無線リンク活性化を行なうことを含み、
サービスノードBが端末を制御してエンハンスメント型専用チャンネル無線リンク脱活性化を行なうステップは、前記サービスノードBが端末を制御して補助キャリアのエンハンスメント型専用チャンネル無線リンク脱活性化を行うことを含む。
【００２７】
上記方法は以下の特徴をあってもよい。
前記ドリフト無線ネットワークコントローラは無線ネットワークコントローラの間の相互接続インターフェースIUR無線ネットワークサブシステムアプリケーション部分RNSAP層によって前記無線リンク活性化指示或は無線リンク脱活性化指示を前記サービス無線ネットワークコントローラに発信する。
【００２８】
上記方法は以下の特徴をあってもよい。
前記無線リンク活性化指示は無線リンク集合標識及び／又は無線リンク標識を携帯し、これによって前記端末の相応する無線リンク集合及び／又は無線リンクが既に活性化されたことを指示し、
前記無線リンク脱活性化指示は無線リンク集合標識及び／又は無線リンク標識を携帯し、これによって前記端末の相応する無線リンク集合及び／又は無線リンクが既に脱活性化されたことを指示する。
【００２９】
上記方法は以下の特徴をあってもよい。
前記無線リンク活性化指示はさらに方向のマークを携帯し、これによって前記無線リンク集合及び／又は無線リンクが既に前記方向において活性化されたことを指示し、
前記方向のマークは、単一アップリンク方向或は単一ダウンリンク方向或は両方向である。
【００３０】
上記方法は以下の特徴をあってもよい。
前記無線リンク脱活性化指示はさらに方向のマークを携帯し、これによって前記無線リンク集合及び／又は無線リンクが既に前記方向において脱活性化されたことを指示し、
前記方向のマークは、単一アップリンク方向或は単一ダウンリンク方向或は両方向である。
【００３１】
上記方法は以下の特徴をあってもよい。
前記無線リンク活性化指示はさらに活性化の時間情報を携帯し、前記時間情報は接続フレーム番号で表し、前記時間情報はサービスノードBがエアインターフェースを介して前記端末へ無線リンク活性化命令を発信する時間点であり、或は前記端末が前記サービスノードBから発信する無線リンク活性化命令を受信したことを確認する時間点である。
【００３２】
上記方法は以下の特徴をあってもよい。
前記無線リンク脱活性化指示はさらに脱活性化の時間情報を携帯し、前記時間情報は接続フレーム番号で表し、前記時間情報はサービスノードBがエアインターフェースを介して前記端末へ無線リンク脱活性化命令を発信する時間点であり、或は前記端末が前記サービスノードBから発信する無線リンク脱活性化命令を受信したことを確認する時間点である。
【００３３】
上記技術問題を解決するため本発明は、ドリフト無線ネットワークコントローラに応用され、受信モジュールと発信モジュールを含む無線ネットワークコントローラの間の通信制御の装置をさらに提供し、
前記受信モジュールは、前記ドリフト無線ネットワークコントローラに属するサービスノードBが発信する端末の無線リンク活性化情報を受信した後、発信モジュールに通知し、及び前記ドリフト無線ネットワークコントローラに属するサービスノードBが発信する端末の無線リンク脱活性化情報を受信した後、発信モジュールに告知するように設置され、
前記発信モジュールは、受信した無線リンク活性化情報に従って、無線リンク活性化指示をサービス無線ネットワークコントローラに発信し、及び受信した無線リンク脱活性化情報に従って、無線リンク脱活性化指示をサービス無線ネットワークコントローラに発信するように設置される。
【発明の効果】
【００３４】
上記のように、本発明は無線ネットワークコントローラ間の通信制御の方法及び装置を提供し、ドリフト無線ネットワークコントローラによって無線リンク活性化或は脱活性化指示をサービス無線ネットワークコントローラに発信し、サービス無線ネットワークコントローラに無線リンクが活性化或は脱活性化されたことを指示する。従って、サービスノードBがサービス無線ネットワークコントローラに属しなくてドリフト無線ネットワークコントローラに属する場面、端末の非サービスノードBでの非サービスエンハンスメント型専用チャンネル無線リンクが活性化或は脱活性化を行なうことができなくてデュアル・キャリア技術がこの場面で使用できなくなってしまう前記問題を解決する。
【図面の簡単な説明】
【００３５】
【図１】従来の技術においてサービスノードBがサービス無線ネットワークコントローラに属する時エンハンスメント型専用チャンネル無線リンク活性化と脱活性化過程の模式図。
【図２】従来の技術においてサービスノードBがドリフト無線ネットワークコントローラに属する時、端末に対してエンハンスメント型専用チャンネル無線リンク活性化と脱活性化を行う過程の模式図；
【図３】本発明による実施例1の具体的な処理過程の模式図；
【図４】本発明による実施例2の具体的な処理過程の模式図；
【図５】本発明による実施例3の具体的な処理過程の模式図；
【図６】本発明による実施例4の具体的な処理過程の模式図；
【図７】本発明による実施例5の具体的な処理過程の模式図；
【図８】本発明による実施例6の具体的な処理過程の模式図；
【図９】本発明による実施例7の具体的な処理過程の模式図；
【図１０】本発明による実施例8の具体的な処理過程の模式図；
【図１１】本発明による実施例9の具体的な処理過程の模式図；
【図１２】本発明による実施例の装置模式図。
【発明を実施するための形態】
【００３６】
本発明において、ドリフト無線ネットワークコントローラに属するサービスノードBは端末を制御してエンハンスメント型専用チャンネル無線リンク活性化を行なった後、前記端末の無線リンク活性化情報をドリフト無線ネットワークコントローラに告知し、前記ドリフト無線ネットワークコントローラは前記無線リンク活性化情報に従って無線リンク活性化指示をサービス無線ネットワークコントローラに送信し、
ドリフト無線ネットワークコントローラに属するサービスノードBは端末を制御してエンハンスメント型専用チャンネル無線リンク脱活性化を行なった後、前記端末の無線リンク脱活性化情報をドリフト無線ネットワークコントローラに告知し、前記ドリフト無線ネットワークコントローラは前記無線リンク脱活性化情報に従って無線リンク脱活性化指示をサービス無線ネットワークコントローラに発信する。
【００３７】
前記無線リンク活性化指示は前記端末の無線リンク集合及び／又は無線リンクが既に活性化されたことを指示するためものであり、前記無線リンク脱活性化指示は前記端末の無線リンク集合及び／又は無線リンクが既に脱活性化されたことを指示するためのものである。
【００３８】
従って、前記サービス無線ネットワークコントローラは受信した前記無線リンク活性化指示によって非サービスノードBを制御して前記端末に対して非サービスエンハンスメント型専用チャンネル無線リンク活性化を行ない、前記サービス無線ネットワークコントローラは受信した前記無線リンク脱活性化指示によって非サービスノードBを制御して前記端末に対して非サービスエンハンスメント型専用チャンネル無線リンク脱活性化を行なう。
その中、前記サービスノードBが端末を制御してエンハンスメント型専用チャンネル無線リンク活性化を行なうのは具体的に、前記サービスノードBが端末を制御して補助キャリアのエンハンスメント型専用チャンネル無線リンク活性化を行なうことを指す。
その中、前記サービスノードBが端末を制御してエンハンスメント型専用チャンネル無線リンク脱活性化を行なうのは具体的に、前記サービスノードBが端末を制御して補助キャリアのエンハンスメント型専用チャンネル無線リンク脱活性化を行なうことを指す。
【００３９】
前記ドリフト無線ネットワークコントローラはIURポートRNSAP層によって前記無線リンク活性化指示或は無線リンク脱活性化指示をサービス無線ネットワークコントローラに発信する。
【００４０】
前記無線リンク活性化指示或は脱活性化指示は無線リンク集合標識及び／又は無線リンク標識を携帯することは、前記端末の相応する無線リンク集合及び／又は無線リンクが既に活性化或は既に脱活性化されたことを指示することに用いられ、すなわち、無線リンク活性化或は脱活性化指示の指示対象は無線リンク集合及び／又は無線リンクであり、無線リンク集合は無線リンク集合標識で識別され、無線リンクは無線リンク標識で識別される。無線リンク活性化或は脱活性化指示の指示対象は少なくともサービス無線リンク集合及び／又はサービス無線リンクを含む。
【００４１】
前記無線リンク活性化或は脱活性化指示は方向マークである「単一アップリンク方向」或は「単一ダウンリンク方向」或は「両方向」を携帯する可能性がある。方向マークが「単一アップリンク方向」である場合、無線リンク集合及び／又は無線リンクが既に「単一アップリンク方向」活性化或は脱活性化されたことを指示する。方向マークが「単一ダウンリンク方向」である場合、無線リンク集合及び／又は無線リンクが既に「単一ダウンリンク方向」活性化或は脱活性化されたことを指示する。方向マークが「両方向」である場合、無線リンク集合及び／又は無線リンクが既にアップリンクとダウンリンク方向「両方向」活性化或は脱活性化されたことを指示する。
【００４２】
前記無線リンク活性化或は脱活性化指示は活性化或は脱活性化の時間情報を携帯する可能性がある。この時間情報は接続フレーム番号で表し、サービスノードBがエアインターフェースを介して前記端末に無線リンク活性化或は脱活性化命令を発信する時間点であってもよく、端末がサービスノードBから発信する無線リンク活性化或は脱活性化的命令の受信を確認する時間点であってもよい。
【００４３】
以下、図面及び実施例を結びつけて本発明を詳細的に説明する。
【００４４】
実施例1は図3に示すようである。
ステップ110:ドリフト無線ネットワークコントローラはサービスノードBから発信する無線リンク活性化情報を受信した後、前記無線リンク活性化情報に従って無線リンク活性化指示をサービス無線ネットワークコントローラに発信し、
その中、無線リンク活性化指示はIURポートRNSAP層によって発信する。
その中、無線リンク活性化指示の指示対象は無線リンク集合であり、無線リンク集合標識2で識別される。
その中、無線リンク活性化指示は無線リンク集合2が既に活性化されたことを指示するためのものである。
その中、ドリフト無線ネットワークコントローラはサービスノードBから発信する無線リンク活性化情報を受信し、取りまとめてもよく、例えば、本実施例は無線リンク集合2に取りまとめ、さらに相応する無線リンク活性化指示をサービス無線ネットワークコントローラに発信する。
サービスノードBが端末を制御して無線リンク活性化を行なった後、前記端末の無線リンク活性化情報をドリフト無線ネットワークコントローラに告知する過程は従来の技術であるため、ここで贅言しない。
【００４５】
実施例2は図4に示すようである。
ステップ210:ドリフト無線ネットワークコントローラはサービスノードBから発信する無線リンク活性化情報を受信した後、前記無線リンク活性化情報に従って無線リンク活性化指示をサービス無線ネットワークコントローラに発信する。
その中、無線リンク活性化指示はIURポートRNSAP層によって発信する。
その中、無線リンク活性化指示の指示対象は無線リンク集合と無線リンクである。無線リンク集合は無線リンク集合標識2で識別される。無線リンクは無線リンク標識5で識別される。
その中、無線リンク活性化指示は無線リンク集合2と無線リンク5がすでに活性化されたことを指示するためのものである。
【００４６】
実施例3は図5に示すようである。
ステップ310：ドリフト無線ネットワークコントローラはサービスノードBから発信する無線リンク脱活性化情報を受信した後、前記無線リンク脱活性化情報に従って無線リンク脱活性化指示をサービス無線ネットワークコントローラに発信する。
その中、無線リンク脱活性化指示はIURポートRNSAP層によって発信する。
その中、無線リンク脱活性化指示の指示対象は無線リンク集合であり、無線リンク集合標識2で識別される。
その中、無線リンク脱活性化指示は無線リンク集合2が既に脱活性化されたことを指示するためのものである。
サービスノードBは端末を制御して無線リンク脱活性化を行なった後、前記端末の無線リンク脱活性化情報をドリフト無線ネットワークコントローラに告知する過程は従来の技術であるため、ここで贅言しない。
【００４７】
実施例4は図6に示すようである。
ステップ410：ドリフト無線ネットワークコントローラはサービスノードBから発信する無線リンク脱活性化情報を受信した後、前記無線リンク脱活性化情報に従って無線リンク脱活性化指示をサービス無線ネットワークコントローラに発信する。
その中、無線リンク脱活性化指示はIURポートRNSAP層によって発信する。
その中、無線リンク脱活性化指示の指示対象は無線リンクである。無線リンクは無線リンク標識5と6で識別される。
その中、無線リンク脱活性化指示は無線リンク5と無線リンク6が既に脱活性化されたことを指示するためのものである。
【００４８】
実施例5は図7に示すようである。
ステップ510：ドリフト無線ネットワークコントローラはサービスノードBから発信する無線リンク活性化情報を受信した後、前記無線リンク活性化情報に従って無線リンク活性化指示をサービス無線ネットワークコントローラに発信する。
その中、無線リンク活性化指示はIURポートRNSAP層によって発信する。
その中、無線リンク活性化指示の指示対象は無線リンクである。無線リンクは無線リンク標識5で識別される。
その中、無線リンク活性化指示は方向マーク「単一ダウンリンク方向」を携帯し、無線リンク5が既に「単一ダウンリンク方向」活性化されたことを指示することに用にられる。
その中、無線リンク活性化指示は活性化時間情報を携帯する。この時間情報はサービスノードBがエアインターフェースを介して端末を制御して補助キャリアの無線リンク活性化或は脱活性化命令を行なう時間点であり、接続フレーム番号で表し、具体的な数値は230フレームである。サービスノードBがエアインターフェースを介して端末を制御して230フレームの時間点で補助キャリアの無線リンク5活性化を行なったことを指示するものである。
【００４９】
実施例6は図8に示すようである。
ステップ610：ドリフト無線ネットワークコントローラはサービスノードBから発信する無線リンク脱活性化情報を受信した後、前記無線リンク脱活性化情報に従って無線リンク脱活性化指示をサービス無線ネットワークコントローラに発信する。
その中、無線リンク脱活性化指示はIURポートRNSAP層によって発信する。
その中、無線リンク脱活性化指示の指示対象は無線リンク集合であり、無線リンク集合標識2で識別される。
その中、無線リンク脱活性化指示は方向マーク「単一アップリンク方向」を携帯し、無線リンク集合2が既に「単一アップリンク方向」脱活性化されたことを指示することに用いられる。
その中、無線リンク活性化指示は脱活性化時間情報を携帯する。この時間情報は端末がサービスノードBの補助キャリアの無線リンク活性化或は脱活性化の命令を受信したことを確認した時間点であり、接続フレーム番号で表し、具体的な数値は200フレームである。端末が接続フレーム番号が200フレームである時間点でサービスノードBの補助キャリアの無線リンク集合2脱活性化命令の受信の確認を指示するためのものである。
【００５０】
実施例7は図9に示すようである。
ステップ710：ドリフト無線ネットワークコントローラはサービスノードBから発信する無線リンク活性化情報を受信した後、前記無線リンク活性化情報に従って無線リンク活性化指示をサービス無線ネットワークコントローラに発信する。
その中、無線リンク活性化指示はIURポートRNSAP層によって発信する。
その中、無線リンク活性化指示の指示対象は無線リンク集合と無線リンクである。無線リンク集合は無線リンク集合標識2で識別される。無線リンクは無線リンク標識5と6で識別される。
その中、無線リンク活性化指示は方向マーク「両方向」を携帯し、無線リンク集合標識2と無線リンク5と無線リンク6が既にアップダウンリンク「両方向」活性化されたことを指示することに用いられる。
【００５１】
実施例8は図10に示すようである。
ステップ810：ドリフト無線ネットワークコントローラはサービスノードBから発信する無線リンク活性化情報を受信した後、前記無線リンク活性化情報に従って無線リンク活性化指示をサービス無線ネットワークコントローラに発信する。
その中、無線リンク活性化指示はIURポートRNSAP層によって発信する。
その中、ドリフト無線ネットワークコントローラはサービスノードBが属する無線ネットワークコントローラである。
その中、無線リンク活性化指示の指示対象は少なくともサービス無線リンク集合2を含む。
【００５２】
実施例9は図11に示すようである。
ステップ910：ドリフト無線ネットワークコントローラはサービスノードBから発信する無線リンク脱活性化情報を受信した後、前記無線リンク脱活性化情報に従って無線リンク脱活性化指示をサービス無線ネットワークコントローラに発信する。
その中、無線リンク脱活性化指示はIURポートRNSAP層によって発信する。
その中、ドリフト無線ネットワークコントローラはサービスノードBが属する無線ネットワークコントローラである。
その中、無線リンク脱活性化指示の指示対象は少なくともサービス無線リンク5を含む。
【００５３】
図12に示すように、本発明実施例の無線ネットワークコントローラ間の通信制御の装置はドリフト無線ネットワークコントローラに適用し、接続している受信モジュールと発信モジュールを含み、
前記受信モジュールは、前記ドリフト無線ネットワークコントローラに属するサービスノードBから発信する端末の無線リンク活性化情報を受信した後、発信モジュールに告知し、及び前記ドリフト無線ネットワークコントローラに属するサービスノードBから発信する端末の無線リンク脱活性化情報を受信した後、発信モジュールに告知するように設置され、
前記発信モジュールは、受信した無線リンク活性化情報に従って、無線リンク活性化指示をサービス無線ネットワークコントローラに送信し、及び受信した無線リンク脱活性化情報に従って、無線リンク脱活性化指示をサービス無線ネットワークコントローラに発信するように設置される。
【００５４】
もちろん、本発明はさらに他の多種類の実施例があってもよく、本発明の主旨及その本質を逸脱しない範囲内で、当業者は本発明に従って相応する変更、変形をしてもよいが、相応する変更、変形は本発明によるクレームの保護範囲に属すべきである。
【産業上の利用可能性】
【００５５】
従来の技術に比較して、本発明は、サービスノードBがサービス無線ネットワークコントローラに属しなく、ドリフト無線ネットワークコントローラに属する場面で、端末の非サービスノードBでの非サービスエンハンスメント型専用チャンネル無線リンクが活性化或は脱活性化を行なうことができなく、デュアル・キャリア技術がこの場面で使用できなくなってしまう前記問題を解決する。
【図１】
0005228137.tif 000002
【図２】
0005228137.tif 000003
【図３】
0005228137.tif 000004
【図４】
0005228137.tif 000005
【図５】
0005228137.tif 000006
【図６】
0005228137.tif 000007
【図７】
0005228137.tif 000008
【図８】
0005228137.tif 000009
【図９】
0005228137.tif 000010
【図１０】
0005228137.tif 000011
【図１１】
0005228137.tif 000012
【図１２】
0005228137.tif 000013